(57)【特許請求の範囲】
【請求項１】
遊技機の遊技盤内に配置される表示装置であって、
各々が画像を表示できて且つ連続した１の画像を表示可能なように互いに隣接して並置されるとともに前記遊技盤の表面をよぎる方向において移動自在な複数の表示セグメントパネルと、
前記表示セグメントパネルの各々を前記遊技盤の表面をよぎる方向において移動せしめる移動機構と、からなり、
前記移動機構は、
前記遊技盤の表面に沿った方向において伸びる回転ロッドと、
前記回転ロッドを回転自在に支持する支持部材と、
前記表示セグメントパネルの各々を支持し且つ前記遊技盤の表面をよぎる方向において移動自在な複数のカムフォロワ部材と、
対応する前記カムフォロワ部材に当接し得るように、前記回転ロッドの長手方向において互いに離隔して配置され、その回転角度位置に応じて前記表示セグメントパネルの各々の前記遊技盤の表面をよぎる方向への押し出し量を独立に変化せしめる複数のカム部材と、
前記回転ロッドを回転駆動する回転駆動手段と、を含み、
前記複数のカム部材の各々は、その偏心位置を貫通する前記回転ロッドに一定の回転角度ずつ順次位相をずらして固定されることにより、前記回転ロッドの回転に応じて前記表示セグメントパネルの各々の押し出し量を変化させるように形成され、
前記表示装置はさらに、
前記表示セグメントパネルの各々を前記遊技盤の表面をよぎる方向における同一位置に向けて付勢するための付勢部材と、
前記支持部材を前記遊技盤の表面をよぎる方向に移動せしめる待避機構と、を備え、
前記待避機構は、前記カム部材の各々が対応する前記カムフォロワ部材と当接可能な揺動位置と、前記カム部材の各々が対応する前記カムフォロワ部材に当接不可能な待避位置との間で前記支持部材を移動させ、
前記支持部材が前記揺動位置にあるときには、各々の前記カム部材を対応する前記カムフォロワ部材に当接させて前記付勢部材による付勢力に抗して前記表示セグメントパネルを押し出すことが可能となり、前記支持部材が前記待避位置にあるときには、各々の前記カム部材が対応する前記カムフォロワ部材に当接することが不可能となって前記付勢部材による付勢力によって前記表示セグメントパネルの各々が前記同一位置に配置され、全ての表示セグメントパネルの表示画面が同一平面上に位置することを特徴とする表示装置。
【請求項２】
前記カムフォロワ部材の前記カム部材が当接する位置には、遊び車が回転自在に設けられていることを特徴とする請求項１記載の遊技機の表示装置。
【請求項３】
前記待避機構は、前記支持部材の一端部に設けられた貫通ねじ溝を有するねじ部材と、
前記ねじ溝にねじ込まれたスクリューロッドと、
前記スクリューロッドを回動せしめるモータと、を含むことを特徴とする請求項１又は２記載の遊技機の表示装置。
【請求項４】
請求項１〜３のいずれか１に記載の表示装置と、打ち出された遊技球を流下させる遊技領域を備えた遊技盤と、前記表示装置の回転駆動手段を制御する制御装置と、を備えたことを特徴とする遊技機。
【発明の詳細な説明】
【技術分野】
【０００１】
本発明は、遊技情報を遊技者に伝達するための遊技機の表示装置及びこれを用いた遊技機に関する。
【背景技術】
【０００２】
パチンコ機などの遊技機において、液晶パネルなどからなる表示装置を取り囲むようにして一体に組み合わせた中央役物装置を遊技盤面に設置した機種が一般的に広く出回っている。中央役物装置の表示装置には遊技機の遊技内容及び遊技情報などが表示されるため、遊技中の遊技者が最も注目する部分となっている。そこで表示装置には遊技者の興趣を惹くような各種の趣向が凝らされており、遊技機としての特徴を最も強く反映する部分となっている。この表示装置に大型カラー液晶パネルが用いられるようになってから、表示されるコンテンツに趣向を凝らした遊技機が数多く見られるようになった。その一方で表示装置に演出装置を組み合わせて重畳的な演出効果を狙ったり、表示装置自体を移動させたり、回転させたりして遊技者の興趣を惹こうとする遊技機も開発されている。
【０００３】
例えば、特許文献１は、内部抽選の結果、リーチ状態になったときや、その後に大当たりを得たときに表示装置全体を揺動させて演出を行う遊技機を開示している。表示装置は揺動保持枠によって保持されており、電磁ソレノイドによって揺動保持枠を遊技盤面に平行に上下又は左右に振るようにして細かく揺動せしめると表示装置が震えるように揺動するのである。遊技者は、特定の遊技状態を得たことを表示装置の表示によって認識するとともに、表示装置の揺動による高揚感を得るのである。
【０００４】
上記したように特許文献１では表示装置全体を震えるように、つまり震えるように揺動させる表示装置を開示している。一方で、より長い周期で表示装置全体を揺動させる遊技機がある。例えば、特許文献２は、前後モータと揺動モータとによって表示装置全体を遊技盤面をよぎる前後方向及び左右方向に揺動せしめる遊技機を開示している。表示装置の前後方向への移動は、カムとこれに連結ピンで連接されたクランクアームとによってモータの回転運動を前後方向の運動に変換して行っているのである。
【０００５】
更に、表示装置に複数の表示器を並置してこの表示器の各々を揺動せしめるようにした遊技機もある。例えば、特許文献３は、板状セグメント表示器の如き表示器を複数並設して、各表示器を遊技盤面に対して前後に揺動せしめる表示装置を含む遊技機を開示している。複数の板状セグメント表示器はそれぞれ支持棒の先端に固定されており、この支持棒をソレノイドのプランジャの頭部に接続して、プランジャの前後方向の移動によって複数の板状セグメント表示器をそれぞれ遊技盤の表面をよぎる方向に揺動せしめるのである。
【特許文献１】特開２００６−１５１６５
【特許文献２】特開平７−６８０３１
【特許文献３】特開２００５−２１８５１３
【発明の開示】
【発明が解決しようとする課題】
【０００６】
例えば、液晶パネル、有機ＥＬパネル、プラズマディスプレイなどの表示パネルの高性能化及び制御技術が進むとともに、並置された複数の表示セグメントパネルに連続する１つの画像を表示することが容易にできるようになった。そこで中央役物装置内の表示装置として、複数の表示セグメントパネルを並置して、特定の遊技状態を得たときにこれら複数の表示セグメントパネルに連続する１の画像を表示するとともに、各表示セグメントパネルを順次、遊技盤面をよぎる前後方向に一定のリズムを持って揺動せしめて、画像と表示セグメントパネルの動きとの一体的な演出を行うことが望まれた。例えば、並置された複数の表示セグメントパネルに連続する海の波と波に揺られる船の映像を表示するとともに、この波に合わせて複数の表示セグメントパネルが順次、波打つように遊技盤の表面をよぎる方向に揺動するような演出である。
【０００７】
本発明は以上の如き背景からなされたものであって、複数の表示セグメントパネルを並置して、特定の遊技状態を得たときにこれら複数の表示セグメントパネルに連続する１の画像を表示するとともに、この画像に合わせて各表示セグメントパネルを順次、遊技盤面をよぎる前後方向に揺動せしめることのできる遊技機の表示装置を提供することを目的とする。
【課題を解決するための手段】
【０００８】
本発明による遊技機の表示装置は、遊技機の遊技盤内に配置される表示装置であって、各々が画像を表示できて且つ連続した１の画像を表示可能なように互いに隣接して並置されるとともに前記遊技盤の表面をよぎる方向において移動自在な複数の表示セグメントパネルと、前記表示セグメントパネルの各々を前記遊技盤の表面をよぎる方向において移動せしめる移動機構と、からなり、前記移動機構は、前記遊技盤の表面に沿った方向において伸びる回転ロッドと、前記回転ロッドを回転自在に支持する支持部材と、前記表示セグメントパネルの各々を支持し且つ前記遊技盤の表面をよぎる方向において移動自在な複数のカムフォロワ部材と、対応する前記カムフォロワ部材に当接し得るように、前記回転ロッドの長手方向において互いに離隔して配置され、その回転角度位置に応じて前記表示セグメントパネルの各々の前記遊技盤の表面をよぎる方向への押し出し量を独立に変化せしめる複数のカム部材と、前記回転ロッドを回転駆動する回転駆動手段と、を含み、前記複数のカム部材の各々は、その偏心位置を貫通する前記回転ロッドに一定の回転角度ずつ順次位相をずらして固定されることにより、前記回転ロッドの回転に応じて前記表示セグメントパネルの各々の押し出し量を変化させるように形成され、前記表示装置はさらに、前記表示セグメントパネルの各々を前記遊技盤の表面をよぎる方向における同一位置に向けて付勢するための付勢部材と、前記支持部材を前記遊技盤の表面をよぎる方向に移動せしめる待避機構と、を備え、前記待避機構は、前記カム部材の各々が対応する前記カムフォロワ部材と当接可能な揺動位置と、前記カム部材の各々が対応する前記カムフォロワ部材に当接不可能な待避位置との間で前記支持部材を移動させ、前記支持部材が前記揺動位置にあるときには、各々の前記カム部材を対応する前記カムフォロワ部材に当接させて前記付勢部材による付勢力に抗して前記表示セグメントパネルを押し出すことが可能となり、前記支持部材が前記待避位置にあるときには、各々の前記カム部材が対応する前記カムフォロワ部材に当接することが不可能となって前記付勢部材による付勢力によって前記表示セグメントパネルの各々が前記同一位置に配置され、全ての表示セグメントパネルの表示画面が同一平面上に位置することを特徴とする。
【０００９】
本発明によれば、表示セグメントパネルの各々を遊技盤の表面をよぎる方向に移動せしめる移動機構を有しており、並置された複数の表示セグメントパネルの各々を連続的に所定の位置に配置せしめることが出来るのである。故に、複数の表示セグメントパネルに連続する１の画像を表示するとともに、この画像に合わせて各表示セグメントパネルを順次、遊技盤面をよぎる前後方向に位置決めして、画像と表示セグメントパネルの動きとの一体的な演出を行うことが出来るのである。
【発明を実施するための形態】
【００１０】
本発明の１つの実施例による遊技機の遊技盤内に配置される表示装置は、例えば、液晶、有機ＥＬ、プラズマディスプレイなどからなる表示パネルの複数を含む。表示装置内の表示セグメントパネルは、各々が２次元画像を表示できて且つ表示セグメントパネル全体を１つの表示パネルとして連続した１の画像を表示可能なように互いに並置されている。各表示セグメントパネルは遊技盤の表面をよぎる方向である移動軸方向（遊技機を正面から見て前後方向）に移動自在に支持されている。ここで通常遊技状態においては、各表示セグメントパネルは移動軸方向に同一位置、すなわち遊技盤表面から同じ高さ位置に表示面を一致させるように配置されて、その表示面が平坦となるようにバネ部材によって付勢されて停止している。
【００１１】
表示セグメントパネルの各々には移動軸方向にこれを移動せしめる移動機構が係合自在に配置されている。詳細には、移動機構は、遊技盤の表面に沿った方向において伸びる回転ロッドと、回転ロッドを回転自在に支持する支持部材と、回転ロッドを回転駆動する回転駆動手段と、を含む。各表示セグメントパネルには移動軸方向に移動自在なカムフォロワ部材が取り付けられており、カムフォロワ部材の表示セグメントパネルの取り付け端部と反対側の端部には、遊び車が回転自在に取り付けられている。回転ロッドには、その長手方向においてカムフォロワ部材の位置に対応して互いに離隔して配置されて、カムフォロワ部材に当接する複数のカム部材が取り付けられている。カム部材は、略楕円形若しくは卵形の板状体である。カム部材の偏心位置を回転ロッドが貫通するようにして、カム部材は回転ロッドに固定されている。ここで、複数のカム部材は回転ロッドの長手方向に沿って一定の回転角度ずつ位相をずらして順に固定されている。
【００１２】
支持部材は移動軸方向に往復移動自在である。支持部材がカムフォロワ部材側に最も近づくと、回転ロッドの回転によりカム部材がカムフォロワ部材の遊び車に当接し得るのである。カム部材がカムフォロワ部材に当接してこれを遊技盤の前方に押し出すと、当該カムフォロワ部材に固定された表示セグメントパネルが前方に移動するのである。カム部材は回転ロッドの長手方向に沿って一定の回転角度ずつ位相をずらして順に固定されているから、カム部材によって移動軸方向に往復動する表示セグメントパネルは、連続的に遊技盤面と平行な方向に波が伝搬するように揺動するのである。ここで、回転ロッドの回転速度によって表示セグメントパネルの揺動の波の周期を変化せしめることができるので、遊技内容に応じて表示セグメントパネルの揺動の波の周期を変化せしめて、遊技者の興趣を高めるようになしてもよい。例えば、大当たりのときは回転ロッドを高速で回転せしめて短い周期で（移動周期を短くして）表示セグメントパネルを往復動させるが、通常の当たりではより長い周期で表示セグメントパネルを往復動させるのである。
【００１３】
一方で、支持部材がカムフォロワ部材から所定量以上遠ざかると、もはや回転ロッドが回転してもカム部材がカムフォロワ部材の遊び車に当接し得ないのである。表示セグメントパネルはバネ部材によって定常位置に戻るように付勢されているから、この支持部材の移動によって表示セグメントパネルの表示面が平坦となる定常状態に戻るのである。
【００１４】
更に、本発明の１つの実施例による表示装置を含む遊技機について図１乃至図８を参照しつつ詳細に説明する。
【００１５】
図１に示すように、遊技機１はパチンコ機の如き、遊技球を遊技盤２の遊技領域へ向けて打ち出して遊技を行う遊技機である。遊技盤２の中央部には装飾を与えられた中央役物装置３が取り付けられている。中央役物装置３の中央部には略矩形の貫通穴３ａが形成されており、貫通穴３ａの後方から遊技情報を表示するための略矩形の表示パネル２１を含む表示装置２０が取り付けられている（図２をあわせて参照）。貫通穴３ａの下方には略水平な面内において延在して遊技球をこの上に滞留させる波形ステージ４がある。波形ステージ４の中央部には遊技盤２に垂直な方向に形成された溝部４ａがある。中央役物装置３の上部には、遊技球を貫通穴３ａの表示パネル２１の手前の空間に導く入賞口５がある。入賞口５は遊技盤２上を落下する遊技球を受け止めるように上方に向けた開口を有しており、当該開口は図示しない遊技球案内通路によって貫通穴３ａの空間と連通している。すなわち入賞口５の開口に入った遊技球は図示しない連通通路を通って波形ステージ４上に落下するのである。波形ステージ４の上に落下した遊技球の一部は溝部４ａに落下する。この遊技球は、溝部４ａの中をこれに沿って遊技盤２と垂直な方向に中央役物装置３の下方へと落下する。また波形ステージ４上に落下した遊技球の一部は、溝部４ａ以外の部分から中央役物装置３の下方へと落下する。
【００１６】
溝部４ａからの落下経路の下方には、電動チューリップの如き可動部を有した可動入賞口６が設置されている。遊技機１を正面から見て中央役物装置３の左側方にも入賞口７が設置されている。入賞口７に遊技球が入球すると図示しない機構により可動入賞口６の可動部が開くようになっている。可動入賞口６の下方には、大入賞口装置８が設けられている。ここで通常遊技状態では大入賞口装置８の蓋体は閉じた位置にある。一方、可動入賞口６に遊技球が入球して、遊技機１の内部で行われる抽選の結果、当たりが得られると特別遊技状態となるのである。すなわち、所定時間だけ大入賞口装置８の蓋体が開動して、大入賞口装置８の内部に遊技球が進入可能となるのである。大入賞口装置８に遊技球が入球すると一定数の賞球が遊技者に払い戻されるのである。
【００１７】
更に遊技盤２の遊技領域の最下部には最終的に「はずれ」球として、遊技球を遊技機１の内部に回収ための排出口９が設けられている。
【００１８】
遊技機１を正面から見て右手には遊技球を遊技領域に打ち出すためのハンドル１０が設けられている。ハンドル１０にはリング１１が回動自在に嵌め込まれていて、このリング１１を遊技者が時計回りに回動すると、その回動角度に応じて遊技盤２の遊技領域に打ち出される遊技球の打ち出し速度を調整することができるのである。
【００１９】
次に、表示パネル２１を含む表示装置２０について図１乃至図８を参照しつつ更に詳細に説明する。
【００２０】
特に図６に示すように、表示装置２０は、全体として１の連続図柄を表示可能な表示パネル２１を有し、これは複数の略矩形のＴＦＴ液晶パネルからなる表示セグメントパネル２１ａからなる。なお、ここでは６つのセグメントを図示しているが、セグメントパネル２１ａの枚数は２枚以上であれば良く、これに限定されるものではない。第１乃至第６セグメント２１ａ１〜６は、それぞれ第１乃至第６セグメント制御ドライバ３１〜３６からの信号を受けてその表示画像が制御される。第１乃至第６セグメント制御ドライバ３１〜３６は、メイン制御ドライバ３７からの信号によって統括制御されており、これにより第１乃至第６セグメント２１ａ１〜６は表示パネル全体として１の連続する画像を表示できるのである。更に、メイン制御ドライバ３７はメインＣＰＵ５０に接続されており、表示すべき画像はメインＣＰＵ５０からの信号によって決定される。
【００２１】
特に図２及び図３に示すように、表示セグメントパネル２１ａ１〜６は、セグメント取り付け部材２２−１〜６の前方を向いた面に固定されている。セグメント取り付け部材２２−１〜６は、側方から見て略Ｔ字状であって、角柱状の軸部２２ｂの前方端部に平板状の取り付け部２２ａが上下方向に伸長するようにして一体成形された部材である（図２参照）。セグメント取り付け部材２２−１〜６は、後述するようにカム部材４９からの運動を受け止めるカムフォロワ部材として機能する。
【００２２】
セグメント取り付け部材２２−１〜６は、表示装置２０のシャーシ２４に水平方向に伸長して設けられた角形貫通孔２４ａ内にその軸部を位置させるようにして挿入されている。これによりセグメント取り付け部材２２はシャーシ２４と垂直方向、すなわち前後方向に移動自在である。なお、角形貫通孔２４ａに沿ってシャーシ２４の後方にはその厚みを増加させた周辺壁２４ａ１が設けられている。周辺壁２４ａ１は、セグメント取り付け部材２２−１〜６が貫通孔２４ａの伸張する方向に移動してもその移動軸がぶれないようにするために設けられている。
【００２３】
軸部２２ｂの後方端部には遊び車２３があって、遊び車２３は軸部２２ｂの伸長する方向と垂直且つ水平面内に存在する回転軸の周囲に回動自在である。遊び車２３は、カムフォロワ部材としてのセグメント取り付け部材２２−１〜６にカム部材４９が当接したときに、カム部材４９の回転がスムーズに動くようにするためと、カム部材４９の摩耗を低減するために設けられている。遊び車２３は表面がゴム素材であることが好ましい。
【００２４】
軸部２２ｂの中央部には、上下方向に突出形成されたフランジ部２２ｃがある（図２参照）。フランジ部２２ｃの前方を向いた面と、シャーシ２４の後方を向いた面との間には収縮したバネ２５が配置されている。一方、フランジ部２２ｃの後方を向いた面には、シャーシ２４の後方を向いた面に取り付けられたステイ２６の屈曲端部２６ａが当接している。すなわち、フランジ部２２ｃは、シャーシ２４の後方を向いた面とステイ２６の屈曲端部２６ａとの間で前後方向に移動可能である。しかしながら、フランジ部２２ｃはバネ２５によって後方へ向けて付勢されているため、通常遊技状態では、ステイ２６の屈曲端部２６ａの前方を向いた面にフランジ部２２ｃの後方を向いた面が当接する位置でセグメント取り付け部材２２−１〜６は停止しているのである。なお、この状態でセグメント取り付け部材２２−１〜６の取り付け部２２ａの後方を向いた面は、シャーシ２４の前方を向いた面よりも少なくとも前方に位置している。
【００２５】
上記した如く、表示セグメントパネル２１ａ１〜６は、通常遊技状態ではその表示表面が平坦となる位置にある（図５参照）。セグメント取り付け部材２２−１〜６は、通常遊技状態では、移動機構との係合が解除されて、バネ２５によって所定位置に停止しているのである。移動機構との係合を解除するための待避機構は、ギアボックスとモータとからなる待避駆動アセンブリ４１を含む。待避駆動アセンブリ４１はシャーシ２４に取り付けられており、ねじ溝を表面に刻んだスクリューロッド４２を含む、スクリューロッド４２は左右のいずれの方向にも回動自在である。待避駆動アセンブリ４１によるスクリューロッド４２の回動はメインＣＰＵ５０から信号を受けた移動制御ドライバ３８によって制御される。
【００２６】
特に図３に示すように、ステージ４３は水平面内において延在する細長い板状体である。ステージ４３はその一端部をシャーシ２４に取り付けられた案内部材２７の案内溝２７ａ内に配置して、前後方向（矢印Ａ参照）に移動自在である。ステージ４３の他端部には貫通ねじ穴を設けたねじ部材４３ｂが固定してある。貫通ねじ溝にはスクリューロッド４２がねじ込まれている。よってスクリューロッド４２が回動すると、ねじ部材４３ｂが前後方向に移動して、ステージ４３も前後方向に移動するのである。
【００２７】
以上により、ステージ４３は、通常遊技状態ではシャーシ２４後方の待機位置にあって、特別遊技状態ではシャーシ２４前方の揺動位置に待避機構によって位置決めされるのである。
【００２８】
表示セグメントパネル２１ａ１〜６は、特別遊技状態では連続的に各々位置決めされる（図３及び図７参照）。つまりセグメント取り付け部材２２−１〜６は、特別遊技状態では、移動機構と係合してそれぞれ連続的に位置決めされるのである。移動機構は、シャーシ２４に固定された揺動回転アセンブリ４７と、ステージ４３の上に配置された部材とを含む。
【００２９】
揺動回転アセンブリ４７は図示しないギアボックス及びモータ等の駆動機構とこれにより回転せしめられるプーリ４７ａを含む。揺動回転アセンブリ４７は、メインＣＰＵ５０から信号を受けた揺動制御ドライバ３９によって制御されて、プーリ４７ａを回動する。ステージ４３の上には複数の軸受け４４が固定されており、軸受け４４の上方端部近傍の貫通孔４４ｂには回転ロッド４５が回転自在に貫挿保持されている。回転ロッド４５の揺動回転アセンブリ４７に近接する端部にはプーリ４６が固定されている。プーリ４７ａとプーリ４６との間にはベルト４８が巻回されて、揺動回転アセンブリ４７によりプーリ４７ａが回転すると、回転ロッド４５も回転するようになされている。
【００３０】
回転ロッド４５には楕円又は卵形のカム部材４９が取り付けられている。カム部材４９は、その偏心位置を回転ロッド４５が貫くようにして、セグメント取り付け部材２２−１〜６の位置に対応して回転ロッド４５に固定されている。つまりセグメント取り付け部材２２−１〜６の数と同数の６個のカム部材４９が回転ロッド４５上に固定されている。特に図８に示すように、カム部材４９は回転ロッド４５に沿って所定の角度、ここでは９０度ずつ回転角度をずらしながら回転ロッド上に固定されている。
【００３１】
次に、本発明の１つの実施例による表示装置を含む遊技機の動作について図１乃至図８を参照しつつ詳細に説明する。
【００３２】
特に図４、図５及び図６に示すように、通常遊技状態では、ステージ４３は表示パネル２１の後方の待機位置にあって、この位置で回転ロッド４５が回動してもカム部材４９はセグメント取り付け部材２２−１〜６の後方端部の遊び車２３には当接し得ない。セグメント取り付け部材２２−１〜６は、バネ２５によってステイ２６の屈曲部２６ａにそのフランジ部２２ｃを当接させた位置にあって、表示セグメントパネル２１ａ１〜６の表示面は平面である。表示セグメントパネル２１ａ１〜６には、メイン制御ドライバ３７から第１乃至第６セグメント制御ドライバ３１〜３６を経て信号が送られて画像が表示されている。
【００３３】
ところで、可動入賞口６に遊技球が入球してメインＣＰＵ５０において内部抽選が行わた結果、「当たり」が得られると特別遊技状態となる。特別遊技状態では、メイン制御ドライバ３７から第１乃至第６セグメント制御ドライバ３１〜３６へ信号が送出されて、表示セグメントパネル２１ａ１〜６に「当たり」のための画像が表示されるのである。
【００３４】
更に、図２、図３に示すように、表示セグメントパネル２１ａ１〜６に「当たり」のための画像を表示するとともに、メインＣＰＵ５０は移動制御ドライバ３８に信号を送出して、待避駆動アセンブリ４１のスクリューロッド４２を回動させる。これによりステージ４３は待機位置からシャーシ２４に近接する前方へと移動してステージ４３が揺動位置に到達し、スクリューロッド４２の回転が停止する。このとき、カム部材４９は遊び車２３に当接して、表示セグメントパネル２１ａ１〜６が前方へと移動するのである（図３及び図７参照）。
【００３５】
メインＣＰＵ５０は揺動制御ドライバ３９に信号を送出して、揺動回転アセンブリ４７によってプーリ４７ａを回転させて回転ロッド４５を回動させる。ここでカム部材４９は偏心回転するが、カム部材４９は回転ロッド４５に沿って順に固定角度を変えて取り付けられているから、各カム４９による遊び車２３の前方への押し出し量が異なるのである。よって、図７に示すように表示セグメントパネル２１ａ１〜６の表面は階段状となるのである。そして、各カム部材４９によって遊び車２３の前方への押し出しの位相が異なるから、回転ロッド４５が回転すると、まるで波が伝搬するように表示セグメントパネル２１ａ１〜６が前後に揺動するのである。
【００３６】
ここで回転ロッド４５の回転速度によって表示セグメントパネル２１ａ１〜６の揺動速度を変えることが出来る。例えば、「大当たり」のときは揺動速度を早くするとともに、「通常の当たり」の場合はそれよりも揺動速度を遅くするなどの演出が揺動制御ドライバ３９によって容易に設定できるのである。
【００３７】
また表示セグメントパネル２１ａ１〜６が揺動中もメイン制御ドライバ３７から第１乃至第６セグメント制御ドライバ３１〜３６へ信号を送出して、表示セグメントパネル２１ａ１〜６に揺動状態に連携した画像を表示することができるのである。
【図面の簡単な説明】
【００３８】
【図１】本発明による表示器を含む遊技機の正面図である。
【図２】本発明による表示器を含む遊技機の要部の縦断面図である。
【図３】本発明による表示器を含む遊技機の要部の横断面図である。
【図４】本発明による表示器を含む遊技機の要部の縦断面図である。
【図５】本発明による表示器を含む遊技機の要部の横断面図である。
【図６】本発明による表示器の要部の部分斜視図である。
【図７】本発明による表示器の要部の部分斜視図である。
【図８】本発明による表示器の要部の側面図である。
【符号の説明】
【００３９】
１          遊技機
２          遊技盤
３          中央役物装置
４          波形ステージ
５、７      入賞口
６          可動入賞口
８          大入賞口装置
９          排出口
１０        ハンドル
１１        リング
２０        表示装置
２１        表示パネル
２１ａ１〜６      表示セグメントパネル
２２        セグメント取り付け部材
２３        遊び車
２４        シャーシ
２５        バネ
２６        ステイ
３１〜３６        セグメント制御ドライバ
３７        メイン制御ドライバ
３８        移動制御ドライバ
３９        揺動制御ドライバ
４１        待避駆動アセンブリ
４２        スクリューロッド
４３        ステージ
４４        ステイ
４５        回転ロッド
４６        プーリ
４７        揺動回転アセンブリ
４８        ベルト
４９        カム部材
５０        メインＣＰＵ
【図１】
0004767049.tif 000002
【図２】
0004767049.tif 000003
【図３】
0004767049.tif 000004
【図４】
0004767049.tif 000005
【図５】
0004767049.tif 000006
【図６】
0004767049.tif 000007
【図７】
0004767049.tif 000008
【図８】
0004767049.tif 000009